(57)【要約】【目的】ＡＣコンセントに嵌入させるのみで設置でき、且電子放射極より多量で安定した電気衝撃力の強い電子放射をさせて、高密度マイナスイオンを生成しえる簡易マイナスイオン発生装置を提供する。【構成】全体が一体的に収納され、且絶縁素材で適宜形状に形成されるケーシングの一側面にＡＣプラグが形成され、該ＡＣプラグからのＡＣ電源を２４Ｖ以下の直流電圧となる電源部と、該直流電圧及びパルス発生部で発振させた２０乃至１００キロパルスのパルス信号を、更にパルス制御回路で均等且安定パルス信号となした均等且安定パルス信号とを、一対組のスイッチングトランスの一次側に入力し、その二次側より電圧が１５００乃至７５００Ｖでパルス数が２０乃至１００キロパルスのマイナス高電圧直流方形波パルス及びプラス高電圧直流方形波パルスとして出力させたうえ、電磁変換リレー部でマイナス高電圧直流方形波パルスの印加時間に対して５乃至３０％割合の印加時間で交互に変換し電子放射極に印加させる構成。【選択図】　図１
2004146313.tif 000002
【特許請求の範囲】
【請求項１】
全体が一体的に収納され且絶縁素材で適宜形状に形成されるケーシングと、該ケーシングの一側面に突出形成されるＡＣプラグ及び該ＡＣプラグから入力されるＡＣ電源を、２４Ｖ以下に降圧する降圧トランス並びに直流に整流する整流回路とからなる電源部と、そのパルス数が２０乃至１００キロパルスのパルス信号を発振させるパルス発生部、及び該パルス信号を均等な方形波と安定したパルスに補整し制御させるパルス制御回路と、電源部からの直流電圧並びにパルス制御回路で補整且制御されたパルス信号とを、その一次側に入力させて二次側よりその電圧が１５００乃至７５００Ｖで且パルス数が２０乃至１００キロパルスのマイナス高電圧直流方形波パルス及びプラス高電圧直流方形波パルスがそれぞれ出力される一対組のスイッチングトランスからなるスイッチングトランス部と、この出力されるマイナス高電圧直流方形波パルスの印加時間に対しプラス高電圧直流方形波パルスが５乃至３０％割合の印加時間となるよう交互に変換をなす電磁変換リレー部、及びこの交互に変換されたマイナス高電圧直流方形波パルス並びにプラス高電圧直流方形波パルスを印加し高密度マイナスイオンを発生させるためケーシングの適宜側面に形成された凹陥内に、針状の先端が露出されるよう電子放射極が配設された電子放射部とにより構成される簡易マイナスイオン発生装置。
【請求項２】
ケーシングの適宜側面に適宜形状及び大きさの通風口が形成され、且この通風口の内側に電子放射極が配設されてなり、而も該電子放射極の背面に送風ファンが設けられてなる請求項１記載の簡易マイナスイオン発生装置。
【請求項３】
電源部がバッテリー若しくは乾電池からなる、請求項１若しくは請求項２記載の簡易マイナスイオン発生装置。
【発明の詳細な説明】
【０００１】
【産業上の利用分野】
本発明はＡＣコンセントに差込むのみで設置可能なマイナスイオン発生装置に係り更に詳しくは電子放射極にマイナス高電圧直流方形波パルスとプラス高電圧直流方形波パルスとを適宜に変換し印加して、長期に亘って安定した高密度マイナスイオンを発生しえる簡易マイナスイオン発生装置に関する。
【０００２】
【従来技術】
現状における我が国は大気、水、土壌に至るまで極度の汚染がなされており、更には高度自動車社会を背景として膨大量の排気ガスが排出されていること等により、これらを原因とする健康被害が急増している。加えて近年の建物は密閉性が著しく高まっており、反面該建物の内装材や塗料或いは接着剤には合成化学品や化学薬剤若しくは有機溶剤等が多用されてなるため、時間経過とともに内装材や塗料或いは接着剤等より揮発性有機化合物或いは臭気ガス等が建物内に揮散滞留し、これらが多様な疾病を惹起させる所謂シックハウス症候群が多発し大きな社会問題に至っている。
更には建物の密閉性の高まりは、生活者やペット類自体からの臭気や産業活動に伴い発生する臭気の滞留と浸透及びこれら臭気の混交によって異臭や悪臭をも発生させるため、建物空間内が著しく不快な環境におかれる結果ともなっている。
【０００３】
かかる問題に対して通常の建物施設においては、エアーコンディショナー等を設置のうえ多量の換気を図る手段が採用されているものの、今日の如く外気自体が極度に汚染された状態では十分な建物空間内の浄化が実現されず、而も清浄化設備を採用するには大型且高コストとなり、ホテルや高級店舖或いは大型複合施設等の一部に限定される。
これがため住宅建物や大多数の小規模ビル建物においては集塵機能を保持したエアーコンディショナーやコロナ放電による集塵機能と消臭機能を保持した清浄機或いはオゾンによる消臭機能を保持した清浄機等による対処がなされてきた。
【０００４】
然るに集塵機能を保持したエアーコンディショナーでは最も危険視される揮発性有機化合物や不快な原因たる臭気には何等対処できず、更にコロナ放電による清浄機やオゾン清浄機においては揮発性有機化合物や臭気に対しての分解は認められるものの、これらはオゾンの生成に伴う特有の臭気を発生し快適性を損うばかりか、密閉性の高い空間内ではオゾン濃度如何では却って健康面に危害が及ぶ危険も内在する。
【０００５】
かかる経緯に鑑み、近年に至っては空間内に露出するよう配設させた電子放射極にマイナス高電直流を印加させることにより、安全性の高いマイナスイオンを生成せしめて、揮発性有機化合物や臭気ガス若しくは排気ガス等により汚染された汚染空気の浄化を図ることが提案されるに至り、その具体的先願として実用新案登録第３０６６７９３号や排気ガスの分解を目的とした特開平６−５０１２８号や特開２００１−１８２５２６号等が開示されている。
【０００６】
ところでマイナスイオンの還元作用により揮発性有機化合物や臭気を分解消去せしめて空気浄化をなし、或いは排気ガス中の有害成分を分解消去せしむるうえからは、少なくともそのマイナスイオン密度において略２０乃至３０万個／ｃｃ以上の高密度マイナスイオンが必要とされ、且密閉空間内に拡散滞留する揮発性有機化合物や臭気ガスを分解消去し清浄化を図るためには、該高密度マイナスイオンが密閉空間内全体に拡散させることが望ましく該拡散に伴う希薄化を考慮すると、電子放射極近傍におけるマイナスイオン生成密度としては更に３乃至３０倍程度の高密度で生成させることが要請される。
加えて高密度マイナスイオンの生成に際して重要なことは、電子放射極より多量且安定して電子放射をなさしめて多量のプラズマを形成させること、及び該プラズマによりマイナスイオンを生成させるための水分子やガス分子等を低クラスター化と解離させてなるイオン源を多量に形成させることにある。
【０００７】
然るに開示されたこれら先願においては、建物や施設等の開放空間若しくは設備若しくは機器等の閉鎖空間に露出配設された電子放射極に単にマイナス高電圧直流を印加させてその高電位差を以って電子放射をなさしむるものであって、開放空間や閉鎖空間内は絶縁性の高い空気であるため、印加初期においては電子放射極と空間との大きな電位差で電子放射がなされるものの、時間経過とともに電子放射極近傍の空気が帯電化し次第に電位差の減少とともに電子放射量が激減し、実質的にマイナスイオンの生成がなされぬ結果となる。
【０００８】
更に建物や施設等多数に区画されたそれぞれの開放空間或いは設備等の閉鎖空間に、マイナスイオン発生装置をそれぞれ設置させることはコスト面はもとより設置スペースも確保せねばならぬことからマイナス高電圧直流を供給しえるモジュールを形成し、該モジュールよりそれぞれの区画内に電子放射極のみを設置し通電線により分岐させて印加する方法も試みられているものの、建物や施設の区画に高電圧を分岐印加させることは電気用品に係る法令則で多くの制約があり実用上多くの問題を抱える。
【０００９】
【発明が解決しようとする課題】
本発明はかかる実情に鑑みなされたものであって、本発明はＡＣコンセントに嵌入させるのみで設置しえ、且電子放射極より多量で安定した電気衝撃力の強い電子放射により高密度マイナスイオンが生成可能な簡易マイナスイオン発生装置を提供することにある。
【００１０】
【課題を解決するための手段】
上述の課題を解決するために本発明が用いた技術的手段は、絶縁性素材で一体的に且適宜形状に形成されるケーシングの一側面にＡＣコンセントに嵌入しえるＡＣプラグを突出形成させて、ＡＣ電源の利用とともに本発明を嵌入固定し設置させるとともに、該ＡＣプラグからのＡＣ電源を降圧トランス並びに整流させてその電圧が２４Ｖ以下の直流電圧となす電源部が設けられている。
そして高密度マイナスイオンを生成させるうえからは、その電圧が１５００乃至７５００Ｖで且そのパルス数が２０乃至１００キロパルスのマイナス高電圧直流方形波パルス及びプラス高電圧直流方形波パルスを出力させて印加させることが必要となる。
【００１１】
これがため電源部からの直流電圧と、及びそのパルス数が２０乃至１００キロパルスのパルス信号を発振させるパルス発生部と、このパルス信号を更に方形波に補整し且安定したパルスに制御させるパルス制御回路を通して均等且安定化させたパルス信号とを、一対組のスイッチングトランスからなるスイッチングトランス部の一次側にそれぞれ入力させたうえ、一方のスイッチングトランスの二次側からはその電圧が１５００乃至７５００Ｖで且そのパルス数が２０乃至１００キロパルスのマイナス高電圧直流方形波パルスを出力させ、更に他方のスイッチングトランスの二次側からは、その電圧が１５００乃至７５００Ｖで且そのパルス数が２０乃至１００キロパルスのプラス高電圧直流方形波パルスとして出力させる。
【００１２】
そして出力されたマイナス高電圧直流方形波パルス及びプラス高電圧直流方形波パルスを電子放射極へ印加する場合に電子放射極近傍の帯電を防止するうえから、マイナス高電圧直流方形波パルスの印加時間に対して５乃至３０％割合の印加時間を以ってプラス高電圧直流方形波パルスを交互に変換させて印加させる必要上から電磁変換リレー部に入力させて変換がなされる。
【００１３】
而して所要の印加時間割合に交互に変換されたマイナス高電圧直流方形波パルス及びプラス高電圧直流方形波パルスをケーシングの適宜側面に形成してなる凹陥内に針状の先端が露出するよう電子放射極が配設された電子放射部に印加させる構成の簡易マイナスイオン発生装置に存するものであり、更には電子放射部がケーシングの適宜側面に適宜形状及び大きさの通風口が形成され、且該通風口の内側に電子放射極が絶縁体で配位されたうえその背面に送風ファンが設けられた構成に存する。
【００１４】
【作用】
本発明は上述の如き構成からなるため、以下のような作用を有する。即ち絶縁性の高い空気中に露出させた電子放射極にマイナス高電圧直流方形波パルス及びプラス高電圧直流方形波パルスを印加させて電子放射をなすものであり、且電子放射に係る放射電力としては僅かに３乃至１０ｍＷ程度のため、電源部の降圧トランスやスイッチングトランス或いは電磁変換リレー等が極めて小型軽量のもので使用できるためケーシング全体も小型軽量に形成でき、ケーシングの一側面に突出形成されたＡＣプラグを建物区画内に取付けられたＡＣコンセントに差込むのみで全体が嵌入固定されて設置できる。
【００１５】
そしてこの入力されたＡＣ電源を２４Ｖ以下の直流電圧となしスイッチングトランスの一次側に入力させ、更にパルス発生部で発振させたパルス信号をパルス制御回路で均等な方形波に補整し、且安定したパルスに制御のうえスイッチングトランスの一次側に入力させるため、該スイッチングトランスの一方の二次側からはその電圧が１５００乃至７５００Ｖでパルス数が２０乃至１００キロパルスのマイナス高電圧直流方形波パルスが出力され、且他方の二次側からはその電圧が１５００乃至７５００Ｖでパルス数が２０乃至１００キロパルスのプラス高電圧直流方形波パルスが出力される。
【００１６】
かくして出力されるマイナス高電圧直流方形波パルス並びにプラス高電圧直流方形波パルスは、電磁変換リレーを用いてマイナス高電圧直流方形波パルスの印加時間に対しプラス高電圧直流方形波パルスが５乃至３０％に相当する印加時間割合を以って交互に変換させ印加させるため、高電圧の変換においても長期に亘って安定した変換がなされるとともに、電子放射極にはマイナス高電圧の高い電位差と高パルス数で且方形波の印加がなされるため高電位と且高パルス方形波による波状の印加により電子放射が促進されるばかりか、高パルス方形波の尖頭作用によりプラズマの多量の形成とともに、水分子がガス分子の低クラスター化と解離も促進されて多量のイオン源が形成されるため高密度のマイナスイオンが生成される。
加えてマイナス高電圧直流方形波パルスの印加に対し５乃至３０％割合でプラス高電圧直流方形波パルスが印加されるためプラスイオンが交互且瞬時に生成されて、電子放射極近傍の過剰帯電も防止される。
【００１７】
【実施例】
以下に本発明実施例を図とともに詳細に説明すれば、図１は本発明の配線図、図２はスイッチングトランス部の説明図、図３はパルス制御回路の説明図、図４は電磁リレー部の説明図であって、ケーシング１は本発明を収納させて建物や施設或いは装置等に設けられてなるＡＣコンセント１０に嵌入させて本発明全体を簡便に嵌入設置させるうえから、軽量で強靭性や耐熱性及び成形加工性に優れる素材が用いられることは当然のこと、特には高電圧が使用されるうえから絶縁性素材を用いることが肝要であって、望ましい素材としてはポリカーボネート樹脂やポリエステル樹脂、アクリル樹脂或いはＡＢＳ樹脂等が挙げられる。
更に該ケーシング１の形状には特段の制約はないが、嵌入設置の安定性の面からは立方体や直方体が好適であるが、設置環境面でデザイン性が要求される場合には球形や楕円形のものも使用される。
【００１８】
かくしてなるケーシング１の一側面には該ケーシング１に固定され、且外方に突出してＡＣプラグ２が形成されている。
このＡＣプラグ２は建物や施設若しくは装置等に設けられたＡＣコンセント１０に嵌入させて本発明を固定設置せしむるとともに、本発明を作動させる外部ＡＣ電力を取入れるものであるから、ＡＣコンセント１０への嵌入に際しては弛緩した嵌入とならぬように配慮すべきである。
【００１９】
そしてケーシング１の内部にはＡＣプラグ２により供給される外部ＡＣ電力を、その内部電気回路を安全且正確に作動させるうえから、該ＡＣプラグ２の端縁にはその電圧を２４Ｖ以下に降圧する降圧トランス３Ａと接続され、且該降圧トランス２Ａの二次側には直流に整流させるための整流器３Ｂを介して直流電圧となす整流回路３Ｃとによる電源部３が設けられている。
かかる場合の整流器３Ｂとしては整流用ダイオードやスイッチングダイオード或いはシリコンブリッジ整流器等が挙げられる。更に本発明では最終負荷とされる電子放射極９Ｂからの電子放射にかかわる放射電力は僅か３乃至１０ｍＷ程度のものであるから、該降圧トランス３Ａも極めて小型軽量で且小電力のもので対処できることとなる。
【００２０】
かくして所要の電圧に降圧され且整流された直流電圧は、その一側がアースされたうえ、他側がスイッチングトランス４Ａの一次側４０Ａの中間に形成された直流電圧入力端子４１Ａにそれぞれ入力される。
即ち本発明においては、電子放射極９Ｂにマイナス高電圧直流方形波パルス７Ｂ並びにプラス高電圧直流方形波パルス７Ｃを印加させるうえから、該スイッチングトランス４Ａはマイナス高電圧直流方形波パルス７Ｂを出力させるスイッチングトランス４Ａと、プラス高電圧直流方形波パルス７Ｃを出力させるスイッチングトランス４Ａとの一対組より形成され、全体としてスイッチングトランス部４が構成されている。
【００２１】
このスイッチングトランス４Ａは図２に示すように、その一次側４０Ａの中間には低電圧の直流電圧を入力させる直流電圧入力端子４１Ａが設けられ、且該直流電圧入力端子４１Ａには電源部３において所要の電圧に整流された直流電圧の一方が入力され、且他方はアースされている。更に該スイッチングトランス４Ａの一方の二次側４０Ｂからはその電圧が１５００乃至７５００Ｖで且パルス数が２０乃至１００キロパルスで、而も方形波のマイナス高電圧直流方形波パルス７Ｂと、他方のスイッチングトランス４Ａの二次側４０Ｂからは、その電圧が１５００乃至７５００Ｖで且パルス数が２０乃至１００キロパルス而も方形波のプラス高電圧直流方形波パルス７Ｃを出力させるうえから、該スイッチングトランス４Ａの一次側４０Ａの両側端には、該一次側４０Ａの通電電流をオン、オフ制御させるパルス信号が入力されるパルス信号入力端子４１Ｂ、４１Ｂが設けられている。
当然に該スイッチングトランス４Ａは、その一次側４０Ａの入力に対し二次側４０Ｂからは１５００乃至７５００Ｖの電圧で出力されるよう巻線設計がなされており、且高パルス数が用いられることからコア材としては高周波特性に優れるフェライトコア４０Ｃが一般的に用いられる。
【００２２】
而してスイッチングトランス４Ａの二次側４０Ｂからは所要の電圧で且そのパルス数が２０乃至１００キロパルスの方形波パルスを出力させるためには、該スイッチングトランス４Ａの一次側４０Ａのパルス信号入力端子４１Ｂ、４１Ｂに均等且安定したパルス信号６Ａを入力させることが必要となる。
これがためにはそのパルス数が２０乃至１００キロパルスのパルス信号５Ａを発振させるためパルス発生部６が設けられている。
【００２３】
このパルス発生部５は実質的にそのパルス数を２０乃至１００キロパルスに発振できる発振回路を有するものであれば可能であって、図示するパルス発生部５はＵＪＴ（単結合トランジスター）５Ｂを用いたもので、具体的パルス数はコンデンサ容量及び抵抗値で決定される。そして該パルス発生部５はかかるＵＪＴを使用する場合以外にＰＵＴトランジスターを用いた弛緩発振回路やその他コルピッツ発振回路ハートレー発振回路等も利用できる。
【００２４】
しかしながらこれらパルス発振回路で発振させたパルス信号５Ａは電圧変動等の影響により均等且安定性に欠けることから、該パルス発生部５で発振されたパルス信号５Ａは、更に均等な方形波に補整し且安定したパルスに制御して均等且安定パルス信号６Ａとなしたるうえスイッチングトランス４Ａのパルス信号入力端子４１Ｂ、４１Ｂに入力させるため図３に示すパルス制御回路６を経由して入力される。
即ち該パルス制御回路６は、パルス発生部５で発生されたパルス信号５Ａを抵抗を介してスイッチングトランジスター６Ｂのベース６０Ｂに入力させるとともに、該スイッチングトランジスター６Ｂのコレクタ６１Ｂは、スイッチングトランス４Ａの一次側４０Ａの一側端のパルス信号入力端子４１Ｂの一方に接続され、且エミッタ６２Ｂはアースに接続されている。
そしてスイッチングトランス４Ａの一次側４０Ａの他側端のパルス信号入力端子４１Ｂにはアースよりパルス信号整流器６Ｃを介して接続された構成からなるものである。
【００２５】
かくして一方のスイッチングトランス４Ａの二次側４０Ｂからはマイナス高電圧直流方形波パルス７Ｂ、及び他方のスイッチングトランス４Ａの二次側４０Ｂからはプラス高電圧直流方形波パルス７Ｃが出力されるものであるが、かかる場合においてマイナス高電圧直流方形波パルス７Ｂの出力に際しては、スイッチングトランス４Ａの二次側４０Ｂにマイナス整流器７Ａが介在され、且プラス高電圧直流方形波パルス７Ｃの出力に際しては、同様にプラス整流器７Ｄが介在される。
【００２６】
そしてかかるマイナス高電圧直流方形波パルス７Ｂ並びにプラス高電圧直流方形波パルス７Ｃは、電子放射極９Ｂに印加させる場合にマイナス高電圧直流方形波パルス７Ｂの印加時間に対して５乃至３０％割合の印加時間、望ましくは１０乃至２０％割合の印加時間割合を以ってプラス高電圧直流方形波パルス７Ｃとを交互に変換させて印加させるため電磁変換リレー部８に入力される。
【００２７】
この電磁変換リレー部８は、図４に示す如く２回路２接点で作動するリレー８０Ａが設けられ、且該リレー８０Ａが電磁ソレノイド８０Ｂへの通電及び遮断により接点が切替られるよう形成されており、而もこの電磁ソレノイド８０Ｂには、ＬＣ回路８０Ｃにより所要の時間割合を以って通電及び遮断がなされるよう構成されている。
従ってマイナス高電圧直流方形波パルス７Ｂをリレー８０Ａの１回路側基点８１Ａに接続し、更にプラス高電圧直流方形波パルス７Ｃをリレー８０Ａの２回路側基点８２Ａに接続しておく。
【００２８】
而してＬＣ回路８０Ｃからの通電が遮断されている状態ではリレー８０Ａにおけるマイナス高電圧直流方形波パルス７Ｂが入力される１回路側の基点８１Ａは接点８２Ａと接続された状態にあり、且該接点８２Ａからは電子放射部９の電子放射極９Ｂに接続されており、反面プラス高電圧直流パルス７Ｃが入力される２回路側の基点８１Ｂは接点８２Ｂと接続されてなるものの、電子放射極９Ｂとは無接続の状態にあり、且該２回路側の接点８３Ｂからは電子放射極９Ｂと接続された構成よりなる。
従ってＬＣ回路８０Ｃからの通電が遮断されてなる状態ではマイナス高電圧直
2004146313.tif 000003
り電子放射極９Ｂに印加され、かかる状態においてはプラス高電圧直流方形波パ
2004146313.tif 000004
るものの電子放射極９Ｂには印加されない。
【００２９】
他方ＬＣ回路８０Ｃからの通電時には電磁ソレノイド８０Ｂによりリレー８０Ａが作動し１回路側は基点８１Ａと接点８３Ａとがりレー８０Ａで接続され、且２回路側は基点８１Ｂと接点８３Ｂとがリレー８０Ａで接続されるため、マイナス高電圧直流方形波パルス７Ｂが遮断され、プラス高電圧直流方形波パルス７Ｃが電子放射極９Ｂに印加される。これがためＬＣ回路８０Ｃより遮断される時間に対し５乃至３０％割合で交互に通電させることにより、マイナス高電圧直流方形波パルス７Ｂの印加時間に対し５乃至３０％の割合の印加時間を以ってプラス高電圧直流方形波パルス７Ｃが交互に変換され印加されることとなる。
【００３０】
電磁変換リレー部８において所要の印加時間割合を以って交互に変換されたマイナス高電圧直流方形波パルス７Ｂ並びにプラス高電圧直流方形波パルス７Ｃは電子放射部９の電子放射極９Ｂに印加され、電子放射による高密度のマイナスイオンの生成が図られる。
この電子放射部９は、開放空間や閉鎖空間に露出配設される電子放射極９Ｂに、その電圧が１５００乃至７５００Ｖの高電圧が印加されるものであるから、該電子放射極９Ｂは少なくともケーシング１の外表面より突出せぬように配設させることが安全上のうえから望まれる。
【００３１】
そこで図５に示す如く、ケーシング１の適宜側面に凹陥９Ａを形成させたうえ、該凹陥９Ａ内に絶縁性素材からなるケーシング１で固定され、且その先端がケーシング１の外表面より突出せぬよう電子放射極９Ｂが配設させた構成よりなるものである。この場合の電子放射極９Ｂの素材としてはタングステンや白金等が好適である。
更に建物や施設等の区画容積が大きな開放空間に使用する場合には、仮令電子放射極９Ｂの近傍において高密度のマイナスイオンが生成されても、該生成されたマイナスイオンは短時に減失するものであり、従って区画容積の大きな開放空間内に揮散滞留する揮発性有機化合物や臭気ガスを分解消去せしむるうえからは、短時に生成された高密度マイナスイオンを開放空間内に拡散させてやる必要がある。
【００３２】
これがためには図６に示すように、電子放射部９としてケーシング１の適宜側面に適宜形状及び大きさの通風口９Ｃを形成し、且この通風口９Ｃの内側に電子放射極９Ｂを配設させたうえ、更に該電子放射極９Ｂの背面に送風ファン９Ｄを設けることにより、電子放射極９Ｂ近傍で生成された高密度マイナスイオンを送風拡散させる構成が望まれる。
【００３３】
【発明の効果】
本発明は上述の如く絶縁性素材からなり全体が一体的に収納されるケーシングの一側面にはＡＣプラグが突出形成されてなるから、ＡＣコンセントに嵌入させるのみで本発明が固定設置される。そしてＡＣプラグで入力されるＡＣ電源は電源部の降圧トランス及び整流回路で２４Ｖ以下の直流電圧となされるため、建物や施設或いは工場若しくは装置等のＡＣ電源がある場所では自在に使用並びに設置が可能となる。
そして本発明においては一対組のスイッチングトランスを用い、且該スイッチングトランスの一次側に直流電圧と、且均等且安定したパルス信号を入力させることにより、一方のスイッチングトランスからはその電圧が１５００乃至７５００Ｖでパルス数が２０乃至１００キロパルスの均等で且安定したマイナス高電圧直流方形波パルスが、更に他方のスイッチングトランスからはその電圧が１５００乃至７５００Ｖでパルス数が２０乃至１００キロパルスのプラス高電圧直流方形波パルスとして出力がなされる。
【００３４】
而もこのマイナス高電圧直流方形波パルス及びプラス高電圧直流方形波パルスが電磁変換リレーにより交互に変換されるため、高電圧においても長期に亘り安全且確実な変換がなしえる。
そして該電磁変換リレーにより電子放射極には、マイナス高電圧直流方形波パルスの印加時間に対して５乃至３０％の割合の印加時間でプラス高電圧直流方形波パルスが交互に印加されるため、電子放射極近傍の過剰帯電が消去され且電子放射極への塵埃の付着も抑制される。更に過剰帯電が消去されるために電子放射量が促進されて多量のプラズマの形成とともに、高パルスで且方形波パルスの印加に伴う尖頭作用が強く働き、水分子やガス分子等の低クラスター化と解離が著しく促進されて多量のイオン源も形成されることにより、高密度のマイナスイオンを生成することが可能となる。
従って建物や施設等の区画内に拡散滞留する揮発性有機化合物や臭気ガス等に対して高い分解消去効果が発揮され、或いは装置等より発生する排気ガスに対しても高い分解消去効果が発揮される等、優れた特長を具備する簡易マイナスイオン発生装置である。
【図面の簡単な説明】
【図１】本発明の配線図である。
【図２】スイッチングトランス部の説明図である。
【図３】パルス制御回路の説明図である。
【図４】電磁変換リレー部の説明図である。
【図５】本発明の内部状態説明図である。
【図６】ファンが設けられた本発明の内部状態説明図である。
【符号の説明】
１　　ケーシング
２　　ＡＣプラグ
３　　電源部
３Ａ　降圧トランス
３Ｂ　整流器
３Ｃ　整流回路
４　　スイッチングトランス部
４Ａ　スイッチングトランス
４０Ａ　スイッチングトランスの一次側
４０Ｂ　スイッチングトランスの二次側
４０Ｃ　フェライトコア
４１Ａ　直流電圧入力端子
４１Ｂ　パルス信号入力端子
５　　パルス発生部
５Ａ　パルス信号
５Ｂ　ＵＪＴ
６　　パルス制御回路
６Ａ　均等且安定パルス信号
６Ｂ　スイッチングトランジスター
６Ｃ　パルス信号整流器
６０Ｂ　ベース
６１Ｂ　コレクタ
６２Ｂ　エミッタ
７Ａ　マイナス整流器
７Ｂ　マイナス高電圧直流方形波パルス
７Ｃ　プラス高電圧直流方形波パルス
７Ｄ　プラス整流器
８　　電磁変換リレー部
８０Ａ　リレー
８０Ｂ　電磁ソレノイド
８０Ｃ　ＬＣ回路
８１Ａ　１回路側基点
８１Ｂ　２回路側基点
８２Ａ　１回路側接点
８２Ｂ　２回路側接点
８３Ａ　１回路側接点
８３Ｂ　２回路側接点
９　　電子放射部
９Ａ　凹陥
９Ｂ　電子放射極
９Ｃ　送風口
９Ｄ　送風ファン
１０　　ＡＣコンセント
【図１】
2004146313.tif 000005
【図２】
2004146313.tif 000006
【図３】
2004146313.tif 000007
【図４】
2004146313.tif 000008
【図５】
2004146313.tif 000009
【図６】
2004146313.tif 000010